(57)【特許請求の範囲】
【請求項１】
下部脚に対し上部脚が嵌合されて上下方向に伸縮自在とされた左右の脚と、前記上部脚に支持される天板とを有するテーブルであって、前記天板の下面に旋回動自在に軸着された昇降用操作レバーと、この操作レバーの旋回動により等距離にわたって離接方向に移動する左右のガススプリング受とを有し、前記各ガススプリング受と前記下部脚とを途中が屈曲可能な連結部材を介して連結し、前記ガススプリング受の一方にガススプリングの基端を、他方にそのロッドを取付けてなり、前記操作レバーの旋回操作時に前記ガススプリングのロッドの伸長力により左右のガススプリング受を押動して天板を上昇させるようにし、
前記連結部材は、前記下部脚に固定された垂直ロッドと、前記ガススプリング受に固定された水平ロッドと、これら垂直ロッドと水平ロッドとを継ぐコイルバネとで構成されていることを特徴とするテーブル天板昇降装置。
【請求項２】
前記天板は、前記上部脚に軸を中心に水平姿勢から垂直姿勢の範囲にわたり回転可能に支持された天板受に固定されるとともに、前記天板受を水平または垂直姿勢時にその位置にロックするロック手段を有している請求項１記載のテーブル天板昇降装置。
【請求項３】
前記ガススプリングのロックを解除するためのロック解除レバーを前記昇降用操作レバーの操作ハンドルに隣設し、該操作レバーの旋回操作時にその操作ハンドルと同時にロック解除レバーを把持してガススプリングのロックを解除するようになされている請求項１または２記載のテーブル天板昇降装置。
【発明の詳細な説明】
【０００１】
【発明の属する技術分野】
本発明はテーブルに係り、特にテーブル天板の昇降装置に関する。
【０００２】
【従来の技術】
従来から使用者の体形や用途に応じテーブル天板の高さ位置を可変としたテーブルが知られている。
【０００３】
上記のようなテーブルの天板を昇降させるための従来の昇降装置は、ハンドルを手動あるいは電動により回転させ、その回転運動を傘歯車やクランク機構を介してネジ軸に伝達し、このネジ軸の回転によりこれに螺合する天板を昇降させる手段、あるいは最近では比較的安価に得られて操作が簡単なガススプリングを用いて天板を昇降させる手段が一般に採用されてきた。
【０００４】
【発明が解決しようとする課題】
しかるに上記前者によるものでは、天板の昇降にハンドルを回転させて昇降させるものであるため、その操作に時間がかかるという問題があるうえ、ネジ軸や歯車等の伝動部材を使用するため構造が複雑化してコストが高くなり、さらにネジ軸や歯車等の嵌合部や噛合部に摩耗やゆるみが生じると天板の昇降性能に支障をきたしやすく、そのため天板を垂直姿勢に変換（フォールディング）して不使用時における省スペース化を図ることが難しかった。
【０００５】
また後者のガススプリングを用いるものでは、天板上に載荷されるＯＡ機器等の重量物の荷重の増減に対しそれに応ずる動きを期待することができないことをはじめ、２本以上の脚により天板が支持される構造のテーブル等においては、天板を上下方向に平行移動させるためには数本のガススプリングと歯車等の伝動部品が必要となり、やはりコストが高くかつ大掛りなものとなるという問題点があった。
【０００６】
【課題を解決するための手段】
本発明は上記の点に鑑み、天板を無段階で昇降させることができることはもちろん、天板上に載荷される荷重の増減に対しても適切な昇降を可能ならしめることを課題とし、また天板を垂直姿勢に変換させて省スペース化を図る場合であっても適用可能とすることにある。
【０００７】
上記課題を解決する手段として本発明は、下部脚に対し上部脚が嵌合されて上下方向に伸縮自在とされた左右の脚と、前記上部脚に支持される天板とを有するテーブルであって、前記天板の下面に旋回動自在に軸着された昇降用操作レバーと、この操作レバーの旋回動により等距離にわたって離接方向に移動する左右のガススプリング受とを有し、前記各ガススプリング受と前記下部脚とを途中が屈曲可能な連結部材を介して連結し、前記ガススプリング受の一方にガススプリングの基端を、他方にそのロッドを取付けてなり、前記操作レバーの旋回操作時に前記ガススプリングのロッドの伸長力により左右のガススプリング受を押動して天板を上昇させるようにし、前記連結部材は、前記下部脚に固定された垂直ロッドと、前記ガススプリング受に固定された水平ロッドと、これら垂直ロッドと水平ロッドとを継ぐコイルバネとで構成されているものである。
【０００８】
また前記天板は、前記上部脚に軸を中心に水平姿勢から垂直姿勢の範囲にわたり回転可能に支持された天板受に固定するとともに、前記天板受を水平または垂直姿勢時にその位置にロックするロック手段を設けるようにすることによりテーブル不使用時に天板を立てた姿勢として収納することができ、省スペース化を図ることができる。
【０００９】
さらにガススプリングのロックを解除するためのロック解除レバーを前記昇降用操作レバーの操作ハンドルに隣設し、該操作レバーの旋回操作時にその操作ハンドルと同時にロック解除レバーを把持してガススプリングのロックを解除するようにすることにより、天板の昇降時の操作性を高めることが可能となる。
【００１０】
前記連結部材は、前記下部脚に固定された垂直ロッドと、前記ガススプリング受に固定された水平ロッドと、これら垂直ロッドと水平ロッドとを継ぐコイルバネとで構成することによりガススプリング受の移動を上部脚に確実に伝達させることができる。
【００１１】
【発明の実施の形態】
以下、本発明を図面に示す実施の形態を参照して説明する。
【００１２】
図１は本発明を適用したテーブルの一例を示すもので、テーブル１は左右に立設される脚２，２と天板３とを有し、この天板３が所定のストロークにわたり上下方向に平行移動して昇降されるようになっている。
【００１３】
前記脚２，２は、図２、図３に右側のみ一部破断して示しているように、前後の下面に車輪４，４が取付けられた水平なフレーム５上に固定立設される下部脚６と、この下部脚６に外嵌される上部脚７とで構成され、上部脚６は、下部脚７の上下部の二側面に一部が突出するように軸着されたガイドローラ８，８にその内側面が案内されて下部脚６に対し上部脚７が昇降自在とされている。
【００１４】
前記上部脚６，６の上端部の互に相対向する側面には中空のガイド部材９，９が水平方向に突設され、このガイド部材９，９と前記上部脚７，７の内部とが連結されており、その連通部の下面はアール状の曲面９ａとされている。
【００１５】
前記ガイド部材９，９の上面には、平面視矩形状の枠体からなる天板受１０の左右の側枠１０ａ，１０ａが固着され、この天板受１０の上面に天板３が固定されている。また前記ガイド部材９，９には天板受金具１１，１１が固設され、この天板受金具１１，１１の一端の軸孔１２，１２に天板受１０が軸１３により枢支されてこの軸１３を中心に天板３が水平姿勢から垂直姿勢の範囲にわたり変換し得るようになっている。
【００１６】
前記上部脚７，７の内部には、下端が下部脚６に固定された垂直ロッド１４が設けられ、前記ガイド部材９の水平部９ｂ内には天板３の下面の図示しないガイドレールにそって軸方向に移動自在に設けられた水平ロッド１５の一端側が挿入され、これら垂直ロッド１４と水平ロッド１５とは屈曲可能な部材、例えばコイルバネ１６により連結されて連結部材を構成しており、このコイルバネ１６がガイド部材９の屈曲した部分の曲面９ａの範囲を移動するようになされている。
【００１７】
前記水平ロッド１５，１５の他端側にはガススプリング受１７，１７がそれぞれ固着され、一方のガススプリング受１７にはガススプリング１８の基端が取付けられ、他方のガススプリング１７にはそのロッド１９の先端が連結されている。またこのガススプリング受１７，１７の一側部に形成されている軸受部２０，２０には、短いレバー２５，２５が起伏自在に枢着されている。
【００１８】
一方、天板３の下面の幅方向中央位置には天板昇降用の操作レバー２１の中間部が軸２２により枢着され、この操作レバー２１の前記軸２２を中心として等距離隔てた位置に等長の左右のリンク２３，２３の一端がピン２４，２４により連結され、これらリンク２３，２３の他端は前記ガススプリング受１７，１７のレバー２５，２５にピン２５ａ，２５ａにより連結されており、前記操作レバー２１を前記軸２２を中心として回動したとき左右のガススプリング受１７，１７が等距離移動するように形成されている。
【００１９】
前記操作レバー２１の手元側となる端部の操作ハンドル２６は天板３の手前端近くに位置されており、この操作ハンドル２６にガススプリング１８のロックを解除するためのロック解除レバー２７がピン２８により枢着されている。
【００２０】
このロック解除レバー２７の奥端には、ガススプリング１８の解除用ロッド２９（図４、図５示）を押し込むためのレバー３０に連結されたケーブル３１が接続され、上記ロック解除レバー２７を操作レバー２１側に引寄せる、つまりロック解除レバー２７と操作レバー２１の操作ハンドル２６とを同時に握ることによりケーブル３１を通じてレバー３０が図示しない戻し用バネに抗して引かれ、このレバー３０が前記解除用ロッド２９を押してガススプリング１８のロックが解かれるようになっている。
【００２１】
なお上記操作ハンドル２６は、操作レバー２１に対しその長孔３２と図示しない止ネジとでその長孔３２の範囲内の任意位置で固定することができ、使用者の操作力の大小に応じ操作レバー２１の長さを最も操作しやすい長さに調整することができるように構成されている。これにより、軸２２からピン２４までの距離と、軸２２から操作ハンドル２６までの距離が変化することになるので、天板３上の荷重の増減に対しても適切な昇降を可能とする。
【００２２】
前記天板受１０の一方の側枠１０ａには天板３を水平姿勢または垂直姿勢に固定しておくためのロック手段が設けられている。このロック手段は、上記側枠１０ａにそって前後方向に摺動可能に設けられたフォールディングレバー３３を有し、このレバー３３の手元端には手掛け３３ａがあり、常時は図示しないバネにより引込む方向に付勢されており、その側部には前記天板受金具１１に手前側に向け解放するよう形成された切溝状の水平係止部３４または天板受金具１１の奥側に上向きに解放されたフック状の垂直係止部３５に係合し得る係合突部３６が設けられている。
【００２３】
次に作用を説明する。
【００２４】
図１、図４は天板３の最下降時の状態を示しており、この状態から天板３を上昇させるには、操作レバー２１の操作ハンドル２６とロック解除レバー２７とを同時に握ると、該ロック解除レバー２７の回動によりケーブル３１を通じレバー３０がバネに抗して引かれ、解除用ロッド２９が押されてガススプリング１８のロックが解かれる。
【００２５】
こうして操作レバー２１の操作ハンドル２６を図１において右方に動かすと操作レバー２１は軸２２を中心として図１において反時計方向に回動し、その回動操作力にガススプリング１８の伸長力が加わって軽い力で各リンク２３，２３が押され、これに連結されている左右のガススプリング受１７，１７が等距離分押しやられる。
【００２６】
このガススプリング受１７，１７の移動によりこれに固定されている水平ロッド１５，１５が押動され、コイルバネ１６，１６を介して垂直ロッド１４，１４が押される。この垂直ロッド１４，１４は下部脚６，６に固定されているので上記ガススプリング受１７，１７の移動は天板３を押し上げる力に変換され、これによりガススプリング１７，１７の移動距離分ｈだけ図５のように上部脚７，７が押し上げられる。ここでロック解除レバー２７を放せばガススプリング１８が再びロックされ、天板３はその高さ位置に保持される。
【００２７】
天板３を下降させるには、前記と同様にロック解除レバー２７を操作し、併せて操作レバー２１の操作ハンドル２６を左方へ動かせば、リンク２３，２３を介してガススプリング受１７，１７が互に接近する方向へ移動し、天板３等の重量により上部脚７，７が下部脚６，６にそって下降する。この際にもガススプリング１８が短縮することにより天板３の急激な下降を防ぐ役目を司る。
【００２８】
一般的には上記昇降量ｈは７０〜１００ｍｍ程度とされ、天板３の最下降時の高さＨは７００ｍｍ程度とされる。
【００２９】
したがって前述のように操作レバー２１、ロック解除レバー２７を操作して天板３を昇降させ、天板３の高さが最適値になったところでロック解除レバー２７を放してガススプリング１８をロックすれば、その高さのテーブルとして使用することができる。
【００３０】
次に天板３を水平姿勢から垂直姿勢にフォールディングして収納する場合には、フォールディングレバー３３の手掛け３３ａに手を掛けて引くと（図６（Ａ））、その係合突部３６が天板受金具１１の手前側の水平係止部３４から抜けるので、天板３の手前端を上方に持ち上げるようにすれば天板受１０が軸１３を中心に回転し、天板３が垂直姿勢に至ると前記係合突部３６が天板受金具１１の後側の垂直係止部３５にその上方から係合し、天板３が垂直姿勢にロックされる（図３、図６（Ｂ））。またリンク２３，２３はレバー２５，２５の回動により操作レバー２１とともに天板３と共に移動する（図３示）。
【００３１】
天板３を再び水平姿勢に戻すときは、前記と同様にフォールディングレバー３３の手掛け３３ａを引くとその係合突部３６が垂直係止部３５から抜け、そのまま天板３を前に倒すようにすれば水平姿勢に戻り、そのとき係合突部３６が水平係止部３４に係合して水平状態にロックされる（図６（Ａ）の状態）。
【００３２】
なお上記実施形態では、ガススプリング１８のロック解除レバー２７を操作レバー２１に付設して操作しやすくした場合について示したが、このガススプリング１８のロック解除レバーは操作レバー２１とは別の位置に設けるようにしてもよい。また天板３の水平、垂直姿勢でのロック手段についても図示の例に限られるものではなく、テーブルの大きさや構造に応じて適宜な手段を採用することができる。さらに屈曲可能な連結部材としてコイルバネ１６を用いた場合につき示したが、屈曲可能なチューブ内に非圧縮流体あるいは粉粒体を詰納したようなものであってもよい。
【００３３】
【発明の効果】
以上説明したように本発明によれば、単一のガススプリングの使用のみによって天板を軽い力で上昇させることができ、テーブル上に載荷される荷重が大きい場合であっても簡単かつ迅速に天板を昇降させることができる。
【００３４】
また請求項２のように天板を水平姿勢からコンパクトな形態の垂直姿勢に変換し得るよう天板を回転可能な構成を採用する場合であっても、昇降装置は天板ごと回転することになるので、スリムな形態として格納することができ、しかも昇降装置の操作部分は天板の裏面に位置しているので天板を水平姿勢に戻す際の操作も行いやすくすることができる。
【００３５】
さらに請求項３のようにガススプリングのロック解除レバーを操作レバーの操作ハンドルに付設すれば、天板昇降時の操作性を一段とよくすることができる。
【図面の簡単な説明】
【図１】本発明の一実施形態を示す天板下降時における斜視図。
【図２】同、天板上昇時における斜視図。
【図３】天板を垂直姿勢とした状態を示す斜視図。
【図４】図１の正面図。
【図５】図２の正面図。
【図６】（Ａ）は天板水平時、（Ｂ）は天板垂直時の状態を示す側面図。
【符号の説明】
１  テーブル
２  脚
３  天板
５  フレーム
６  下部脚
７  上部脚
８  ガイドローラ
９  ガイド部材
１０  天板受
１１  天板受金具
１３  軸
１４  垂直ロッド
１５  水平ロッド
１６  コイルバネ
１７  ガススプリング受
１８  ガススプリング
１９  ロッド
２１  操作レバー
２３  リンク
２６  操作ハンドル
２７  ロック解除レバー
２９  解除用ロッド
３０  レバー
３１  ケーブル
３３  フォールディングレバー
３４  水平係止部
３５  垂直係止部
３６  係止突部
【図１】
0003795179.tif 000002
【図２】
0003795179.tif 000003
【図３】
0003795179.tif 000004
【図４】
0003795179.tif 000005
【図５】
0003795179.tif 000006
【図６】
0003795179.tif 000007